(57)【要約】  本発明は、マニキュア除光液を含む、それぞれの蓋（１０）を伴う手の指の平均的な長さよりも高くない瓶の中に配置される、ポリエチレンもしくはポリプロピレン、または同様の堅さおよび柔らかい感触を有する材料でできたパターンと、ともに使用される内側環状切り込みを有するスポンジ状材料でできた部品とからなる、マニキュア除光液のための回転運動円形デバイスによって形成されるシステムに関する。爪に使用される爪に使用される種類のエナメルまたはマニキュアまたはポリッシュの除去を可能にするシステムは、家庭で、および／または商業的に使用され得、より短い期間に、より高いレベルの効率および快適性を伴って、手の指の５つの爪から一度にマニキュアを除去することが可能であり、また、マニキュア除光液、および指の爪をこするためのスポンジ状材料の部品の表面の両方のより良好な使用も可能にする。【選択図】  図５
2017514663.tif 000002
【特許請求の範囲】
【請求項１】
内側環状切り込みを有するスポンジ状材料からなる部品を有する、マニキュア除光液のための回転運動を用いた円形デバイスであって、中にマニキュア除光液を含み、手の指の長さよりも短い高さを有し、対応する蓋を伴う従来の用途の瓶の中で、１回に手の５本の指の浸漬を可能にし、当該円形デバイスが各指の間に一定の距離を提供することにより前記マニキュアのより良好な除去が可能になり、指が互いに干渉しないようにするため、前記スポンジ状部品の除光部のより幅広い表面で、同時であるが独立して各指の爪およびその外形をこすることが可能となるだけでなく、容器の制御された高さによって瓶のネック部における指間の組織の摩擦を回避するようになっている、円形デバイス。
【請求項２】
右手および左手の両方に対して同じ快適性および行為で使用される様式を用いた、手の５本の指用の穴を有する円形パターンである２つの主要部品が組み込まれ、前記スポンジ状材料からなる部品に内側環状切り込みが組み込まれる、請求項１に記載の内側環状切り込みを有するスポンジ状材料からなる部品を有する、マニキュア除光液のための回転運動を用いた円形デバイス。
【請求項３】
丸みを帯びた縁部を有する柔らかい可撓性材料からなり、その内側環状切り込みによるより大きな表面によって、手の各指に快適性および独立性を提供する、請求項２に記載の内側環状切り込みを有するスポンジ状材料からなる部品を有する、マニキュア除光液のための回転運動を用いた円形デバイス。
【請求項４】
顧客の手の大きさに依存して、異なる瓶のサイズに従って異なるサイズで製造され得るため、その適応性を特徴とする、マニキュア除光液のための回転運動を用いた円形デバイス。
【発明の詳細な説明】
【技術分野】
【０００１】
本発明は、マニキュアまたはエナメル除光液用デバイスに関し、特に、指の爪に塗布されたマニキュアまたはペイントに関する。
【０００２】
本発明の目的は、処理のために指の爪に、手の５本の指に同時に塗布されたマニキュアの除去に寄与するデバイスを提供することであり、除去は、処理領域に近い組織に干渉せず、損傷を与えることなく、または不快感を与えることなく行われる。
【背景技術】
【０００３】
現在、マニキュアを除去するための最も知られた、かつ最も使用されている方法は、容器からコットンパッドまたは吸収材料にマニキュア除光液を注ぎ、１回に各指の爪をこすることであり、ネイルポリッシュもしくはマニキュア、またはエナメルが完全に除去されるまで、必要なだけそれを頻繁に繰り返し、その度により多くのコットンを使用する。
【０００４】
また、内側にスポンジを有する瓶に入ったマニキュア除光液の形態も存在するが、その場合、スポンジは、スポンジの中央に指を挿入するための１〜３個の小さな切り込みを有し、その中央の切り込みは、たとえ１本の指用であっても非常に不快かつ非実用的であるが、それは、スポンジ内で指の爪をこするために必要な強度およびてこの作用を得るための支持部としての瓶の周縁部に乗せた手の残りの部分を支持する必要があるため、マニキュアを除去するために回転させることによって瓶の高さに起因して指の外形の間の結合組織を損傷するためである。
【０００５】
現在の方法が、不快かつ非実用的であり、指およびその間の組織の快適性が求められていることを考慮して、また、手の全ての指の爪からマニキュアを除去するために実際に費やされる時間を短縮するために、指の爪に塗装を施し、後にネイルポリッシュもしくはマニキュア、またはエナメルを除去する必要があるあらゆる人物のための以下に記載するデバイスにおいて、該デバイスが家庭でおよび商業的に使用できるということが考えられた。
【０００６】
したがって、本出願によってこのデバイスを保護することが意図され、デバイスは、手の５本の指の各々に１個ずつの穴を有する円形パターンと、好ましくは円筒形であり、吸収材料でできており、ポリエチレンスポンジ、同様の材料、またはさらには天然材料等のスポンジ状特徴部を有する容器瓶に取り付け可能な部品とからなり、環状切り込みの位置に適合するように特殊な切り抜き部を有し、穴を有する円形部品に指が配置される。デバイスは、ポリエチレンまたはポリプロピレン材料でできた、化粧品産業において一般的に使用される瓶の中で、マニキュア除光液中に配置される。
【０００７】
このデバイスの部品、特徴、および詳細は、以下の説明および添付の図面に明確に示される。
【発明の概要】
【発明が解決しようとする課題】
【０００８】
マニキュアまたはネイルエナメルの除去のためのデバイスは存在するが、これらは処理領域付近での摩擦の状況は考慮しておらず、加えて、その寸法は一定であり、したがって、より小さい大きさの指の処理にはさらなる努力が必要であり、また処理は１回に指１本ずつ行われる。
【課題を解決するための手段】
【０００９】
上記問題に対応するために、マニキュアまたはエナメルを除去するためのデバイスが開発されたが、それは、マニキュアまたはエナメルの除去のための物質を含む容器と、摩擦のためのスポンジと、スポンジと接触するように指を位置付けるためのミシン目を有する位置決めツールとを有し、後に、マニキュアを摩擦してそれを指の爪から除去するために、両方向に交互に回転運動が行われる。
【図面の簡単な説明】
【００１０】
【図１】手の指用の穴を有する円形パターンの上面図である。
【図２】内側環状切り込みを有するスポンジ状材料でできた部品の斜視図である。
【図３】スポンジ状材料でできた部品の上に指用の切り抜き部を有する円形パターンを含むデバイスの側面斜視図であり、両者がどのように相互作用するかを示している。
【図４】内側環状切り込みを有するスポンジ状材料でできた部品の上の、穴を有する円形パターンの上面図である。
【図５】動作のために容器瓶内で連結されたデバイスおよび２つの要素の斜視図である。
【図６】容器瓶内で組み立てられたデバイスの斜視図および垂直方向の切り込みであり、スポンジ内の切り込みを示している。
【発明を実施するための形態】
【００１１】
本発明は、手の５本の指を、各穴にそれぞれ指１本ずつ配置するために５つの穴を有する平坦な円形部品としての、ポリエチレンもしくはポリプロピレン等のマニキュア除光液からの溶剤に耐性を示す材料、または同様の特徴を有する材料のパターンからなるデバイスからなり、爪が、常にスポンジに接触し、その一方で、いかなるときも瓶に触れることを回避するために、指の爪全体を覆うのに十分深いが、底部には到達しない内側環状切り込みを有するスポンジ状材料でできた部品（１３）を有し、一方で、この切り込みは、円形パターン（５）の穴の位置に対応する。
【００１２】
デバイスの調製のために使用される材料の密度および堅さは、瓶の中に嵌め込まれるように十分可撓性であり、かつ、いったん配置されると所定の位置に留まるように十分剛性である、ポリエチレンまたはポリプロピレン等の化粧品産業で一般的に使用される材料によってもたらされる。
【００１３】
スポンジ状材料である内側部品（６）は、瓶の内側よりも数ミリメートル大きく、円形パターンと瓶のネック部との間に穏やかな上向きの圧力を提供することに加えて、瓶の内側での安定性を付与し、常に理想的な位置における回転動作に最適な位置にデバイスを維持する（１１）。
【００１４】
円形パターンと、円形パターンの穴の位置に対応する内側切り込みを有するスポンジ状部品とからなるシステムは、マニキュア除光液（爪に塗装を施すためのエナメルまたはマニキュアの除光液）を含む瓶の中に配置される。デバイスの寸法、瓶のパターンおよびサイズは、デバイスが収容される瓶のサイズに応じて異なるが、いずれの場合も、各手の５本の指の快適性および快適な可動性を許容するのに十分な空間を有する。
【００１５】
５つ穴の円形パターンは、マニキュア除光液を製造する際の基剤として使用される溶剤に耐性を示す柔らかいポリプロピレン材料から作製され、瓶の内側におけるより良好な可動性のために外側の縁部が丸みを帯びている（２および７）。スポンジ状材料でできた部品の切り込み内で爪からエナメルを除去するために必要な回転運動（８および９）を行うときに、手の指により良好な快適性、安定性、および安全性を提供するように、指を挿入するための内側環状切り込みもまた丸みを帯びている（１）。
【００１６】
デバイスが右手および左手に対して快適かつ実用的に機能するように、親指用の穴（３）は中央に配置される。
【００１７】
内側環状切り込みを有するスポンジ状部品は、マニキュア除光液の基剤として使用される溶剤に耐性を示す材料でできている。内側環状切り込み（４および１２）は、その内側で、またそれに沿って自由に指を動かすことを可能にし、スポンジのより長い寿命および効率を可能にするより広い表面を提供し、また１回に１本の指のみからペイントが除去される市場に存在するデバイスよりも優れた結果を提供する。
【００１８】
この新しい様式は、このはるかにより幅広い表面（４、１２）によってその耐用年数が延長されるため、より長い時間スポンジをより良好な性能状態に維持することができるだけでなく、指の爪のより良好な洗浄効果を可能にするが、それは、現在市場で入手可能な物品は、非常に小さい表面に手の全ての爪からのマニキュアを含まなければならないため、より急速に飽和状態となり、スポンジの中心においてのみ短期間で操作性能の低下が引き起こされ、また、たとえ瓶が良好な状態のマニキュア除光液を含んでいる場合でも指の爪の汚れの原因となるためであるが、これらの問題は、本発明によって指数関数的に減少される。
【００１９】
我々のデバイスにおける５つ穴のシステムは、マニキュア除光液およびスポンジのより良好な使用を可能にすることに加えて、また、より長い期間にわたるより清潔な結果以外にも、１回に１つのみの指の爪のためのシステムを有する製品が現在可能にしている時間の少なくとも５分の１で機能することができる。
【００２０】
本デバイスを説明するための２つの方式または方法が存在する：これは、プロセスに適した型を使用するプラスチック射出によって、同じく、適切な機器を用いて記載されるプロセスに適した型を使用する、プラスチック部品の別の製造方法であるブロー射出または注型射出真空成型によって、行うことが可能である。
【００２１】
スポンジ状材料でできた部品の内側環状切り込みは、手動切断、機械切断、例えば、せん断またはレーザーカッターによるもの等の、種々の方法によって行われ得る。
【００２２】
本発明の使用は、一般集団、主に、指の爪に塗装を施したいと希望する女性集団に適用可能であり、これは、家庭で、およびネイリストまたは美容師と称されるハンドケアの専門家によって使用され得る。
【００２３】
要素の材料、形状、サイズ、および配置は、本発明の特徴を変化させない場合、変形例を受け入れる余地がある。
【００２４】
本デバイスは、追加の様々な用途を有し得るため、本発明において使用される用語は、常に広義であり、非限定的であると見なされなければならない。
【図１】
2017514663.tif 000003
【図２】
2017514663.tif 000004
【図３】
2017514663.tif 000005
【図４】
2017514663.tif 000006
【図５】
2017514663.tif 000007
【図６】
2017514663.tif 000008
【国際調査報告】
2017514663.tif 000009
2017514663.tif 000010
2017514663.tif 000011
2017514663.tif 000012